(57)【要約】  照明システムは、光源のセットと、リモートコントロールユニットとを有する。リモートコントロールユニットは、ユーザが、画像における領域と光源とを識別することができるユーザインタフェースを有する。識別された画像領域は、光源と紐付けられ、識別された画像領域の色情報は、光源に送信される。光源は、これにより、色情報に光出力を適用することが可能となる。また、ユーザは、リモートコントロールユニット上にディスプレイされる画像における領域を選択することによって、光源により出力されるべき色を選択することが可能となる。リモートコントロールユニットは、携帯電話、タブレット型コンピュータ、電子フォトフレーム、又は、テレビスクリーンの一部であってもよい。
2015510671.tif 000002
【特許請求の範囲】
【請求項１】
光源のセットを制御するためのリモートコントロールユニットであって、
色情報と関連付けられた座標のセットによって識別される画像内の領域を識別するユーザ入力、及び、光源を識別するユーザ入力を受信するためのユーザインタフェースと、
前記光源を、前記座標のセットと紐付ける処理ユニットと、
前記座標のセットと関連付けられた前記色情報を前記光源に送信する送信器と、
を有する、リモートコントロールユニット。
【請求項２】
前記画像を表示するためのディスプレイユニットを有する、請求項１記載のリモートコントロールユニット。
【請求項３】
前記ディスプレイユニットは、タッチセンサ式ディスプレイユニットであり、前記ユーザインタフェースは、前記タッチセンサ式ディスプレイユニットから前記ユーザ入力を受ける、請求項２記載のリモートコントロールユニット。
【請求項４】
前記領域は、前記光源のグラフィカル表現を前記画像における前記座標のセットと紐付けるための指示を供給するユーザ入力から識別される、請求項１乃至３のいずれか１項に記載のリモートコントロールユニット。
【請求項５】
前記画像における前記光源のグラフィカル表現の位置は、前記光源の物理的な位置を反映している、請求項４記載のリモートコントロールユニット。
【請求項６】
前記色情報は、前記座標のセットと関連付けられた、色相、彩度、輝度、ＲＧＢ色空間、又は、ＣＩＥ色空間の少なくとも１つに関する、請求項１乃至５のいずれか１項に記載のリモートコントロールユニット。
【請求項７】
前記処理ユニットは、前記座標のセットと関連付けられた平均画素値から前記色情報を決定する、請求項１乃至６のいずれか１項に記載のリモートコントロールユニット。
【請求項８】
前記処理ユニットは、前記座標のセットと関連付けられた画素値の画素ヒストグラムから前記色情報を決定する、請求項１乃至７のいずれか１項に記載のリモートコントロールユニット。
【請求項９】
前記画像は、写真画像である、請求項１乃至８のいずれか１項に記載のリモートコントロールユニット。
【請求項１０】
前記画像は、一連の画像からの１つの画像であり、
前記処理ユニットは、前記画像を前記一連の画像からの少なくとも１つの他の画像と置き換え、
前記送信器は、前記一連の画像からの前記少なくとも１つの他の画像と関連付けられた色情報を前記光源に送信することにより、前記色情報が時間に対して動的である、請求項１乃至９のいずれか１項に記載のリモートコントロールユニット。
【請求項１１】
前記送信器は、無線ベースの送信を行なうように構成される、請求項１乃至１０のいずれか１項に記載のリモートコントロールユニット。
【請求項１２】
前記ユーザインタフェースは、前記領域を識別するユーザ入力を最初に受信し、次に、前記光源を識別するユーザ入力を受信する、又は、前記光源を識別するユーザ入力を最初に受信し、次に、前記領域を識別するユーザ入力を受信する、請求項１乃至１１のいずれか１項に記載のリモートコントロールユニット。
【請求項１３】
請求項１乃至１２のいずれか１項に記載のリモートコントロールユニットを有する通信装置であって、前記通信デバイスは、携帯電話、タブレット型コンピュータ、電子フォトフレーム、及び、テレビスクリーンのうちの１つである、通信装置。
【請求項１４】
光源のセットを制御するための方法であって、
ユーザインタフェースにより、色情報と関連付けられた座標のセットによって識別される画像内の領域を識別するユーザ入力を受信し、
受信器により、光源を識別するユーザ入力を受信し、
処理ユニットにより、前記光源を前記座標のセットと紐付け、
送信器により、前記座標のセットと関連付けられた前記色情報を前記光源に送信する、方法。
【請求項１５】
コンピュータにダウンロードされた場合に請求項１４記載の方法を実行するソフトウェア命令を有する、コンピュータプログラム製品。
【発明の詳細な説明】
【技術分野】
【０００１】
本発明は、照明システムの分野に関し、特に、照明システムにおける光源のセットを制御するためのリモートコントロールユニット及び方法に関する。
【背景技術】
【０００２】
高度なレンダリング能力を有する、ますます増加する個別に制御可能な光源、照明機器、照明配置などからなる、一体化された照明設備の登場は、専門市場及び一般消費者市場の両方のための照明システムを変化させると考えられる。これは、照明設備一式のレンダリング能力を完全に開発可能な直感的制御の必要性をもたらす。
【０００３】
例えば、消費者は、リラックスでき、快適である、及び、個別に制御可能な光源、照明機器、照明配置などにより、独自の環境を作ることができるより多くのパーソナライズドされた環境を実現することを望むと予期され得る。しかしながら、この増加しているフレキシビリティに対して、雰囲気作りのためのユーザ相互作用を、単純且つ楽しむことができるように保つことが課題である。
【０００４】
幾つかの手法が、光源、照明機器、照明配置などを制御するため、提案されてきた。
【０００５】
第１の例は、壁面設置された制御ユニットを含む。コミッショニングの際、それぞれが、可能であれば、制御ユニットの各タイプに最適な制御で、光源又は照明機器の各々又はグループを制御する壁面設置される制御ユニットのセットが設置される。
【０００６】
第２の例は、それぞれ個別の光源又は照明機器のための別個のリモートコントロールユニットを含む。このことは、リモートコントロールユニットにより、多かれ少なかれ、上記の壁面設置制御の単純な拡張であるとみなされ得る。
【０００７】
国際特許出願公開第２０１１／０９２６０９号は、第３の例として、実際の環境においてユーザが指し示した場所を検出するための手段と、当該場所に所望の光効果を作るための手段とを有するインタラクティブな照明制御システムに言及している。
【発明の概要】
【発明が解決しようとする課題】
【０００８】
本発明の発明者は、上記の第１、第２、及び、第３の例における複数の欠点を認識している。例えば、各光のために、個別のリモートコントロールユニットを運ぶことは、うんざりするような、且つ、間違いが起こりやすい工程であろう。例えば、配線接続された壁面設置の制御ユニットは、上手く取り外せない。第３の例に関しては、個々の照明要素の幾つか又は全ての場所が不明であり得るという問題があろう。これらの結果として、イメージから照明要素に対する適切なマッピングを作ることは困難である。
【０００９】
本発明の目的は、これらの問題の少なくとも１つを克服することであり、さらに、複雑でなく、又は、間違いが生じない、より時間消費の少ない、より柔軟な、より拡張性のある、光源のセットを制御するためのリモートコントロールユニット及び方法を提供することである。
【課題を解決するための手段】
【００１０】
本発明の発明者は、接続性における進歩が、照明設備と、携帯電話、タブレット型コンピュータ、電子フォトフレーム、及び、テレビスクリーンなどの相互作用装置との間のシームレスな相互運用性を可能にすることに気付いた。このことは、携帯電話、タブレット型コンピュータ、電子フォトフレーム、又は、テレビスクリーンをリモートコントロールユニットとして用いて、照明設定及び照明シーンを作るための態様を可能とする。
【００１１】
従って、本発明の特定の目的は、オペレータ（エンドユーザ）が、画像内の選択された領域と利用可能な光源との間の関係を示すことによって、照明要素に対する設定を実行するための簡単な態様を提案することである。
【００１２】
本発明の第１の態様によれば、この目的及び他の目的は、光源のセットを制御するためのリモートコントロールユニットであって、色情報と関連付けられた座標のセットによって識別される画像内の領域を識別するユーザ入力、及び、光源を識別するユーザ入力を受信するためのユーザインタフェースと、前記光源を、前記座標のセットと紐付ける処理ユニットと、前記座標のセットと関連付けられた前記色情報を前記光源に送信する送信器と、を有する、リモートコントロールユニットによって達成される。
【００１３】
本開示の目的のため、「色情報」なる用語は、発せられる光の色相、彩度、輝度、色、色温度、ＲＧＢ色空間、ＣＩＥ色空間、強度、及び、周波数のうちの少なくとも１つに関する情報として定義される。さらに、リモートコントロールユニットから光源に送信される実際のデータ表現は、任意の適切な種類のものであってもよい。典型的には、実際に送信されるものは、色データ自体でなく、画像から抽出される色情報のデータ表現である。しかしながら、多くの代替案が可能であり、多くの代替案が「色情報」なる用語によって包含される。
【００１４】
好ましくは、このことは、いかなるローカライズ化手段も持たない光源の制御を許容し、また、ユーザが、光源の色値を決定するためのベースとして、画像の色を選択できるようにする。
【００１５】
好ましくは、このことは、オペレータ（エンドユーザ）が、画像内の選択された領域と利用可能な光源との間の関係を手動で示すことによって、光源と色情報との間のマッピングを手動で実行するための簡単な態様を可能とする。
【００１６】
オペレータ（エンドユーザ）は、例えば、指又はスタイラスなどのポインタで、画像内の領域を選択することによって、画像から色を選択することを可能とされる。リモートコントロールユニットは、例えば、上記領域の平均色値を決定することができる（典型的に、当該領域は、１画素よりも大きい）。例えば、画像領域は、ユーザ入力によって示される画像座標（ｘ，ｙ）の周囲に特定のサイズを持つことができる。開示される実施形態によれば、オペレータ（エンドユーザ）は、まず、光源を選択し、次に、画像領域を選択するか、まず、画像領域を選択し、次に、光源を選択することができる。光源を選択することは、全ての利用可能な光源を閲覧することによって、又は、所望の光源を指し示すことによって、又は、光源のリストから１又は複数の光源を選択することによって、達成され得る。この文脈では、閲覧は、リモートコントロールユニットとのユーザ相互作用の結果として光源を点滅させるよう指示するリモートコントロールユニットを含むことができる。ユーザ相互作用は、１又は複数のボタン及び／又はグラフィカルユーザインタフェースからユーザ入力を受けることを含み得る。光源のリストから１又は複数の光源を選択することは、ユーザインタフェースから１又は複数の光源のグラフィカル（又はテキスト）表現の選択を受けることを含むことができる。
【００１７】
本発明の第２の態様によれば、上記目的は、上記リモートコントロールユニットを有する通信装置であって、当該通信装置は、携帯電話、タブレット型コンピュータ、電子フォトフレーム、及び、テレビスクリーンのうちの１つである通信装置によって達成される。
【００１８】
本発明の第３の態様によれば、上記目的は、光源のセットを制御するための方法であって、ユーザインタフェースにより、色情報と関連付けられた座標のセットによって識別される画像内の領域を識別するユーザ入力を受信し、受信器により、光源を識別するユーザ入力を受信し、処理ユニットにより、前記光源を前記座標のセットと紐付け、送信器により、前記座標のセットと関連付けられた前記色情報を前記光源に送信する、方法によって達成される。
【００１９】
本発明の第４の態様によれば、上記目的は、コンピュータにダウンロードされた場合に上記方法を実行するソフトウェア命令を有する、コンピュータプログラム製品によって達成される。
【００２０】
本発明は、請求項に記載の特徴の全ての可能な組み合わせに関することに留意すべきである。同様に、第１の態様の利点は、第２の態様、第３の態様、第４の態様にも適用でき、逆もまた然りである。
【図面の簡単な説明】
【００２１】
本発明の上記態様及び他の態様が、本発明の実施形態を示している添付の図面を参照して、より詳細に説明される。
【図１】図１は、実施形態に従った照明システムを図示している。
【図２】図２は、リモートコントロールユニットを図示している。
【図３】図３ａ及び図３ｂは、ユーザインタフェースを図示している。
【図４】図４は、通信装置を図示している。
【図５】図５は、実施形態に従ったフローチャートである。
【図６】図６は、ユーザインタフェースを図示している。
【発明を実施するための形態】
【００２２】
以下の実施形態は、本開示が、詳細且つ完全であるよう、また、当該技術分野における当業者に対して本発明の範囲を完全に伝達できるように、一例として与えられる。同様の番号は、本開示を通じて同様の要素を表す。
【００２３】
従来技術が有する１つの問題は、上述のように、個別の照明要素の場所が、しばしば不明であることである。このことは、画像から照明要素に対して適切にマッピングすることを困難にする。このため、提案される実施形態は、オペレータ（エンドユーザ）に、電子画像（セグメント）における色と特定の光源との間でマッピングを行なう可能性を与える、ユーザ相互作用のための手段に関する。以下、詳述されるように、かかる手段は、画像の上部に表示される利用可能な光源のグラフィカル表現（画像アイコンなど）を用いることによって実現されることができ、これにより、オペレータ（エンドユーザ）は、画像上の特定の位置へ向かって上記グラフィカル表現を、移動、ドラッグ、又は、操作可能となる。結果として、各光源は、グラフィカル表現を介して選択されるような画像セグメントの色に対応する色の光を発するように設定され得る。
【００２４】
照明システムの操作が、図１の照明システム１、図２のリモートコントロールユニット４、図３ａ及び図３ｂのユーザインタフェース１１ａ及び１１ｂ、図４の通信装置１８、並びに、図５のフローチャートを参照して開示される。
【００２５】
図１の照明システム１は、参照符号２ａ、２ｂ、２ｃ、２ｄを有する光源で概略的に示される、少なくとも１つの光源を有する。当該少なくとも１つの光源２ａ、２ｂ、２ｃ、２ｄは、照明機器であってもよいし、及び／又は、照明制御システムの一部であってもよい。照明機器は、１又は複数の光源を有していてもよい。「光源」なる用語は、空間内の物体を照らす目的で、空間に光を供給するために用いられる装置を意味する。この文脈における空間は、典型的には、部屋の空間、又は、オフィス空間、体育館、屋内店舗環境、映画館、公共空間、又は、街の一部などの屋外環境の一部である。このため、発せられた光は、環境の照射に対する寄与を有する。各光源２ａ、２ｂ、２ｃ、２ｄは、矢印３ａ、３ｂ、３ｃ、３ｄによって概略的に図示されるように、通信目的の符号化光を発することが可能であってもよい。発せられた光は、このため、照射目的の未変調部分に加えて、情報シーケンスを有する符号化光通信のための変調部分を有していてもよい。追加的に、又は、代替的に、各光源２ａ、２ｂ、２ｃ、２ｄは、赤外光を発することが可能であってもよく、及び／又は、情報の送信及び／又は受信のための無線周波数送受信器を持っていてもよい。各光源２ａ、２ｂ、２ｃ、２ｄは、複数の光（照明）設定、特に、発せられる光の色相、彩度、輝度、色、色温度、ＲＧＢ色空間、ＣＩＥ色空間、強度及び周波数などの光源２ａ、２ｂ、２ｃ、２ｄの照射寄与に関する設定と関連付けられることが可能であってもよい。一般的に、光源２ａ、２ｂ、２ｃ、２ｄの照射寄与は、光源２ａ、２ｂ、２ｃ、２ｄによって発せられた光の時間平均出力として規定され得る。
【００２６】
システム１は、光源２ａ、２ｂ、２ｃ、２ｄを制御するように構成されたリモートコントロールユニット４と称される装置を更に有する。図２は、複数の機能ブロックの観点で、リモートコントロールユニット４を概略的に図示している。リモートコントロールユニット４は、オペレータ（エンドユーザ）が、リモートコントロールユニット４の機能に相互作用できるようにするためのユーザインタフェース１１を有する。ユーザインタフェース１１は、ユーザ入力を受けるように構成される。一般的に、ユーザインタフェース１１は、画像における領域の識別と、光源２ａ、２ｂ、２ｃ、２ｄの識別とを受けるように構成される。様々なユーザの研究が、エンドユーザの画像が、雰囲気作りのための、特に、（例えば、ＲＧＢ  ＬＥＤベースの照明機器の色相、彩度、輝度値を制御することによって）様々な色をレンダリング可能ないわゆる雰囲気作成照明機器の制御のための直感的なベースであることを示している。画像は、しばしば、エンドユーザが生活空間において再作成したいシーン及び景色を表現する。これらの画像は、しばしば、リモートコントロールユニット４がその一部であってもよい上記装置において既に利用可能であり、好ましくは、画像は、メモリ９に格納される。ユーザインタフェース１１は、従って、画像内の領域の識別と光源２ａ、２ｂ、２ｃ、２ｄの識別とをユーザ入力から受けるように構成される。好ましくは、画像は、写真画像である。特に、ステップＳ２において、ユーザインタフェース１１は、画像内の領域を識別するユーザ入力を受ける。当該領域は、座標のセットによって識別され、当該座標のセットは、色情報と関連付けられている。リモートコントロールユニット４は、上記画像を表現するように構成されるディスプレイユニットを更に有していてもよい。当該ディスプレイユニットは、ユーザインタフェース１１の一部であってもよい。好ましくは、ディスプレイユニットは、タッチセンサ式ディスプレイユニットである。ユーザインタフェース１１は、このため、タッチセンサ式ディスプレイユニットを介してユーザ入力を受けるように構成されてもよい。
【００２７】
画像領域のための色情報は、様々な態様で計算されることができる。例えば、可能であれば、座標のセット又はポインタベースの（ｘ，ｙ）座標周囲の特定の画素領域を含むポインタベースの（ｘ，ｙ）座標が考慮に入れられてもよく、ポインタベースの（ｘ，ｙ）座標では、平均色相、平均彩度、及び／又は、平均輝度値が処理ユニット６によって決定される。例えば、処理ユニット６は、上記セット又は指し示された座標周囲の画素領域内の画素の色相、彩度、及び／又は、輝度の平均値を決定してもよい。これらの値は、光源の色相、彩度、及び／又は、輝度値を制御するために使用されることができる。上記画素領域のサイズ及び選択された色は、選択された領域の特性（特に、選択された領域における異なる色の量）に依存し得る。選択された領域が多くの異なる色を含む画像では、画素領域のサイズは、好ましくは、選択された領域が、類似／同種の色を有する場合よりも小さい。ある実施形態によれば、選択された画素領域における全ての画素の値は、（例えば、座標のセットと関連付けられた画素値の画素ヒストグラムを生成することによって）静的に分析され、最も顕著な画素の値、又は、選択された点に最も近い画素の値は、選択された光源の値を制御するために使用され得る。
【００２８】
特に、ステップＳ４において、ユーザインタフェース１１は、光源２ａ，２ｂ，２ｃ，２ｄを識別するユーザ入力を受信する。特に、図３ｂを参照して以下詳述されるように、上記領域は、ユーザ入力から識別されてもよく、ここで、ユーザ入力は、画像中の座標のセットにおける光源のグラフィカル表現を判別するための指示を供給する。あるいは、テキスト表現が、（ドロップダウンボックスメニューによって与えられるなどして）光源を選択するために用いられてもよい。さらに、ユーザインタフェース１１の特性が、図３ａ及び図３ｂを参照して更に詳述される。
【００２９】
ステップＳ２及びステップＳ４の順序は、ユーザインタフェース１１への操作者の（又はエンドユーザの）相互作用に依存し得る。ある実施形態によれば、ユーザインタフェース１１は、まず、画像中の領域を識別するユーザ入力を受信し、その後、光源を識別するユーザ入力を受信するように構成される。他の実施形態によれば、ユーザインタフェース１１は、まず、光源を識別するユーザ入力を受信し、その後、領域を識別するユーザ入力を受信するように構成される。
【００３０】
リモートコントロールユニット４は、処理ユニット６を有する。処理ユニット６は、いわゆる中央処理ユニット（ＣＰＵ）によって実装されてもよい。処理ユニット６は、ユーザインタフェース１１に動作可能に結合される。一般的に、処理ユニット６は、画像領域を光源２ａ，２ｂ，２ｃ，２ｄと関連付けるように構成される。ステップＳ６において、光源２ａ，２ｂ，２ｃ，２ｄは、処理ユニット６によって、画像領域の座標のセットと紐付けられる。
【００３１】
リモートコントロールユニット４は、送信器７を有する。送信器７は、処理ユニット６に動作可能に結合される。一般的に、送信器７は、矢印８ａ及び８ｂによって概略的に図示されるように、システム１における光源２ａ，２ｂ，２ｃ，２ｄの１又は複数へデータを送信するように構成される。特に、ステップＳ８において、送信器７は、光源２ａ，２ｂ，２ｃ，２ｄへ、座標のセットと関連付けられた色情報を送信する。光源２ａ，２ｂ，２ｃ，２ｄのセットは、これにより、リモートコントロールユニット４によって制御される。送信器７は、符号化光を発するように構成された光送信器であってもよい。あるいは、送信器７は、情報を無線送信するように構成された無線送信器であってもよい。送信器７は、双方向通信用に構成されてもよい。送信器７は、無線アンテナを有していてもよい。あるいは、送信器７は、有線通信のためのコネクタを有していてもよい。
【００３２】
リモートコントロールユニット４は、処理ユニット６に動作可能に結合されたメモリ９や受信器５などの他のコンポーネントを更に有していてもよい。メモリ９は、当業者によって知られるような原理に従って動作される。特に、メモリ９は、複数の画像及び照明設定のセットを格納してもよい。照明設定は、照明システム１における光源２ａ，２ｂ，２ｃ，２ｄへ送信されてもよい。受信器５は、光源２ａ，２ｂ，２ｃ，２ｄからの矢印３ａ，３ｂ，３ｃ，３ｄによって概略的に図示されるように、符号化光を受信可能であってもよい。受信器５は、代替的に、又は、追加的に、赤外光を受信可能であってもよい。例えば、受信器５は、符号化光及び／又は赤外光をイメージングすることによって、システム１における光源によって発せられた照明設定を検出するための、各々が、符号化画像の一画素を生成する検出器要素のマトリクスを有する画像センサを含んでいてもよい。受信器５は、代替的に、又は、追加的に、１又は複数のフォトダイオードなどを有していてもよい。さらに、代替的に、受信器５は、無線ベースであってもよく、これにより、光源２ａ，２ｂ，２ｃ，２ｄによって送信されるような無線周波数送信を受信するように構成され得る。受信器５により、リモートコントロールユニット４は、受信される符号化光を復号することによって、光源２ａ，２ｂ，２ｃ，２ｄを識別することが可能であってもよい。
【００３３】
図３及び図３ｂは、開示のリモートコントロールユニット４を用いて光源２ａ，２ｂ，２ｃ，２ｄのセットを制御する可能な実施形態のインタフェース１１ａ，１１ｂを図示している。ユーザインタフェース１１ａ，１１ｂは、表示された画像１２と、ユーザインタフェースパネル１３とを有する。ユーザインタフェース１１ａ，１１ｂが、タッチセンサ式ディスプレイユニットとして供給されている場合、ユーザ入力は、タッチセンサ式ディスプレイへのユーザ相互作用により供給され得る。タッチセンサ式ディスプレイは、当該技術分野において既知である。ユーザ入力は、従って、タッチセンサ式ディスプレイ上の指又はスタイラスの接触から受信され得る。ユーザインタフェースパネル１３は、複数の光源２ａ，２ｂ，２ｃ，２ｄに対する識別情報Ｌ１，Ｌ２，Ｌ３，Ｌ４を保持する。識別情報Ｌ１，Ｌ２，Ｌ３，Ｌ４は、光源の名前リストとして、及び／又は、光源２ａ，２ｂ，２ｃ，２ｄのグラフィカル表現として、与えられる。グラフィカル表現は、光源の現在の色情報を示していてもよい。光源が選択されたことを示すために、コンテナ１４が供給されてもよく、図３ａでは、識別情報Ｌ１に対応する光源が選択されている。識別情報Ｌ１，Ｌ２，Ｌ３，Ｌ４のグラフィカル表現は、光源が選択されているか否かに依存して変化してもよく、図３ｂでは、識別情報Ｌ１，Ｌ２に対応する光源が選択されている。
【００３４】
図３ａに図示された実施形態によると、操作者（エンドユーザ）は、識別情報Ｌ１，Ｌ２，Ｌ３，Ｌ４を閲覧するためにユーザインタフェース１１ａに相互作用し、これにより、システム１における光源２ａ，２ｂ，２ｃ，２ｄを間接的に閲覧することになる。特定の識別情報、例えばＬ１を選択する際、システム１における対応する光源、例えば光源２ａは、操作者（エンドユーザ）に対してフィードバックを供給してもよい。当該フィードバックは、選択されたこう現から発せられる点滅光として供給されてもよい。当業者が理解するように、同程度のフィードバックを供給する他の態様がある。ユーザインタフェース１１ａとの更なる相互作用によって、操作者（エンドユーザ）は、表示された画像１２における領域を識別する情報を供給する。操作者（エンドユーザ）は、例えば、タッチ入力によって、ユーザインタフェース１１ａ上の１又は複数のボタンを操作することによって、ユーザインタフェース１１ａ上のジョイスティックの操作によって、又は、座標のセットを手動で入力することによって、上記領域を示してもよい。ユーザ入力によって示された上記領域は、図３ａでは、矢印１５によって図示されている。上記領域は、参照符号１６で概略的に図示されるように、座標のセット（ｘ１，ｙ１）に対応している。特定の色情報が、座標のセット（ｘ１，ｙ１）と関連付けられており、選択された特定の識別情報に対応しているシステム１における特定の光源が、その光源から発せられる光を上記特定の色情報へ適合させるための指示を供給される。このようにするために、リモートコントロールユニット４の送信器７は、上記特定の色情報を有するメッセージをシステム１における特定の光源へ送信する。
【００３５】
図３ｂに図示された実施形態によれば、操作者（エンドユーザ）は、ドラッグアンドドロップ技術により、ユーザインタフェース１１ｂと相互作用することが可能である。各光源２ａ，２ｂ，２ｃ，２ｄは、対応するグラフィカル表現Ｌ１，Ｌ２，Ｌ３，Ｌ４によって、ユーザインタフェース１１ｂ上で識別される。当該グラフィカル表現Ｌ１，Ｌ２，Ｌ３，Ｌ４は、従って、アイコンであってもよい。表示された画像１２の選択の際、操作者（エンドユーザ）は、アイコンを選択し、ユーザインタフェースパネル１３からアイコンをドラッグし、画像１２における特定の位置にアイコンをドロップすることによって、ユーザインタフェース１１ｂと相互作用する。図３ｂに図示される例では、グラフィカル表現Ｌ１は、参照符号１６で概略的に図示されるように、座標のセット（ｘ１，ｙ１）に対応する位置へ移動されている。さらに、図３ｂに図示される例では、グラフィカル表現Ｌ２は、参照符号１７で概略的に図示されるように、座標のセット（ｘ２，ｙ２）に対応する位置へ移動されている。従って、Ｌ１で表現される光源、例えば光源２ａは、画像１２における座標（ｘ１，ｙ１）に対応する色情報で指示され、Ｌ２で表現される光源、例えば光源２ｂは、従って、画像１２における座標（ｘ２，ｙ２）に対応する色情報で指示される。他の画像が選択される場合、アイコン位置を保持することもまた有用であろう。このようにして、ユーザ相互作用メカニズムは、図３ａ又は図３ｂのいずれかの実施形態に従って操作者（エンドユーザ）により所望される場合、容易に微調整されることができる「画像マップ」上の照明機器の相対位置を大まかに示す態様として考えられ得る。操作者（エンドユーザ）は、対応する光源がある空間における位置に基づいてアイコンを置くことが許容され得る。例えば、右下方の角に置かれたアイコンＬ２は、リビングの長椅子から見た場合に、リビングの右側の床に位置する照明機器を表していてもよい。画像における光源のグラフィカル表現の位置は、従って、光源の実際の物理的な位置及び／又は２以上の光源の相対位置を反映していてもよい。このため、一般的に、操作者（エンドユーザ）は、ユーザインタフェース１１ｂを介して、部屋における対応する光源の位置を、操作者（エンドユーザ）の典型的な観察者位置又は部屋におけるディスプレイの典型的な位置に対して反映させる態様で、アイコンを位置させるためのツールを供給される。従って、色彩に富んだ背景画像が、どのアイコンが、どの光源にマッチするのか、光源によって発せられる光からと同じく、ディスプレイ上の色における即時の変化を見ることによって、操作者（エンドユーザ）が容易に理解できるように、表示されてもよい。追加的なオプションとして、リモートコントロールユニット４は、画像拡大機能を供給することができる。ユーザが、画像上に置かれているグラフィカル表現Ｌ１，Ｌ２，Ｌ３，Ｌ４をクリックするとき、当該グラフィカル表現Ｌ１，Ｌ２，Ｌ３，Ｌ４を囲んでいる画像領域が拡大される。これにより、ユーザは、グラフィカル表現Ｌ１，Ｌ２，Ｌ３，Ｌ４の後ろの画像領域をより正確に観察することができる。
【００３６】
ある実施形態によれば、２以上のグラフィカル表現Ｌ１，Ｌ２，Ｌ３，Ｌ４を互いの上部へドラッグすることによって、これらは、グループ化され、新しいグループアイコンが画像１２上に表示される。当該グループアイコンは、画像１２に亘ってドラッグされることができる。グループ化されたグラフィカル表現Ｌ１，Ｌ２，Ｌ３，Ｌ４に対応する全ての光源２ａ，２ｂ，２ｃ，２ｄは、色設定に関して、同じ情報を備えている。グループアイコンがタップされた場合、拡大され、個別のグラフィカル表現Ｌ１，Ｌ２，Ｌ３，Ｌ４が表示され、そのうちの１又は複数が、拡大されたグループアイコンの外にドラッグすることによって、グループから抽出され得る。
【００３７】
ある実施形態によれば、リモートコントロールユニット４は、複数のグラフィカル表現Ｌ１，Ｌ２，Ｌ３，Ｌ４が同時にドラッグされるようにマルチタッチ機能を備えている。
【００３８】
ある実施形態によれば、グラフィカル表現Ｌ１，Ｌ２，Ｌ３，Ｌ４又は図３ａの矢印１５が画像１２に亘って移動されるので、システム１における光源２ａ，２ｂ，２ｃ，２ｄの色情報が、特定の色情報を有するメッセージを光源２ａ，２ｂ，２ｃ，２ｄへ送信する送信器７によって、然るべく更新される。このため、当該更新は、リアルタイムに実行され得る。他のリアルタイムオプションによれば、色情報は、例えば、画像ライブラリの中の他の画像を選択するために画像の上を左から右へ指を水平に滑らせることによって、ユーザが画像を変えた場合に更新される。新しい画像１２は、画像の変化の間その位置に留まるグラフィカル表現Ｌ１，Ｌ２，Ｌ３，Ｌ４の後ろに示される。たとえユーザが画像上に位置されるグラフィカル表現を横断するように指を滑らせたとしても、指操作が画像上に指を置くことにより開始されていない限り、グラフィカル表現上に何の効果ももたらさない。従って、グラフィカル表現上に指を置き、指を滑らせることによって、グラフィカル表現は、代わりに動く。
【００３９】
さらに、単一の静的な画像の代わりに、一連の画像が供給されてもよく、この場合、処理ユニット６は、現在表示されている画像を次の画像と交換する。この一連の画像は、映像シーケンスの一部であってもよい。画像が経時変化するので、色情報も、時間に亘って動的であり得る。この実施形態によれば、リモートコントロールユニット４は、好ましくは、映像シーケンスなどを表示可能な電子デバイスの一部である。一旦、光源２ａ，２ｂ，２ｃ，２ｄが画像中に位置されるグラフィカル表現Ｌ１，Ｌ２，Ｌ３，Ｌ４と関連付けられると、接続された光源の各設定は、（グラフィカル表現Ｌ１，Ｌ２，Ｌ３，Ｌ４の位置によって規定されるように）関連付けられた画像領域のために計算された色（値）に基づいていてもよく、また、（ＴＶ視聴、映像プレイバックなどの）他のアプリケーションがアクティブである場合、接続された光源２ａ，２ｂ，２ｃ，２ｄによって作られる周囲光タイプの効果がもたらされる。
【００４０】
ある実施形態によれば、リモートコントロールユニット４は、ユーザがリモートコントロールユニット４を振った場合に、グラフィカル表現Ｌ１，Ｌ２，Ｌ３，Ｌ４のための画像におけるランダム位置を生成するように構成される。これにより、部屋におけるランダムな画像ベースの雰囲気を作ることが可能である。
【００４１】
ある実施形態によれば、図６に概略的に図示されるように、ユーザインタフェース１１は、グラフィカル表現Ｌ１，Ｌ２，Ｌ３，Ｌ４が配置されることができる色温度バー２０を有する。この実施形態では、色温度バー２０は、画像１２の角近辺に配置される。グラフィカル表現Ｌ１，Ｌ２，Ｌ３，Ｌ４を色温度バー２０へドラッグすることによって、他のグラフィカル表現を介して画像１２の色と結合される白色が選択される。このため、色温度バー２０上のグラフィカル表現によって表わされた光源は、選択された色温度の白色光を発する一方、他の光源は有色光を発する。この色温度バー２０により、画像１２において利用可能な白色光がない場合であっても、ユーザが光源に白色光を発せさせることが常に可能である。ある実施形態では、グラフィカル表現Ｌ１，Ｌ２，Ｌ３，Ｌ４が、画像１２から色温度バー２０へドラッグされた場合、画像の色及び色温度へマッピングする場所において、（初期設定で）色温度バー２０上に配置されてもよい。ユーザは、望むとおりの他の色温度を選択するために、色温度バー２０を亘ってグラフィカル表現を移動させてもよい。
【００４２】
他の実施形態によれば、図６にも図示されているが、ユーザインタフェース１１、より具体的にはユーザインタフェースパネル１３は、光強度コントロール２１を有する。各光強度コントロール２１は、画像１２の下の各グラフィカル表現Ｌ１，Ｌ２，Ｌ３，Ｌ４に配置されている。光強度コントロール２１は、各光源２ａ〜２ｄの光強度、即ち、光出力の総強度を制御するために用いられる。例えば、各光強度コントロール２１は、タッチ制御などにより操作可能なスライダである。あるいは、より柔軟ではないが、全ての光源２ａ〜２ｄに共通の単一の光制御コントロール２１が備えられる。
【００４３】
リモートコントロールユニット４の一部は、通信装置の一部であってもよい。図４は、通信装置１８と相互作用するために操作者（エンドユーザ）によって用いられ得るリモートコントロールユニット及びスタイラス１９を有する通信装置１８を図示している。通信装置１８は、携帯電話、タブレット型コンピュータ、電子フォトフレーム、又は、テレビスクリーンであってもよく、ここで開示される機能は、いわゆる「Apps」と呼ばれる１又は複数のアプリケーションとして与えられてもよい。１又は複数のアプリケーションは、メモリ９などの（不揮発性の）コンピュータ読み取り可能な記録媒体に格納される、１又は複数のソフトウェア製品として格納されてもよい。
【００４４】
当該技術分野における当業者は、本発明が、上記の好ましい実施形態に決して限定されないことを理解する。反対に、添付の請求項の範囲内で、多くの修正及び変形が可能である。好ましくは、開示のリモートコントロールユニット４と、少なくとも１つの光源２ａ，２ｂ，２ｃ，２ｄを有し、リモートコントロールユニット４によって制御可能な少なくとも１つの照明機器とは、一配置として供給され得る。上記実施形態は、携帯電話、タブレット型コンピュータ、電子フォトフレーム、テレビスクリーン、及び、接続された光源インフラストラクチャなどの電子通信装置間で相互運用性を供給する。例えば、タブレット型コンピュータは、アクティブに使用されていない場合、例えば、ドッキングステーション又はタブレットホルダに接続されている場合、電子フォトフレームとして機能してもよい。タブレット型コンピュータは、このため、接続された光源２ａ，２ｂ，２ｃ，２ｄの照明によって定義される照明シーンがフォトフレームのディスプレイ上に示される写真画像とマッチするように、例えば、光源２ａ，２ｂ，２ｃ，２ｄが、フォトフレームアプリケーションによって表示される画像の所望のセグメントにマッピングされるように、接続された光源２ａ，２ｂ，２ｃ，２ｄの制御を同時に供給するフォトフレームアプリケーションを供給してもよい。
【図１】
2015510671.tif 000003
【図２】
2015510671.tif 000004
【図３ａ】
2015510671.tif 000005
【図３ｂ】
2015510671.tif 000006
【図４】
2015510671.tif 000007
【図５】
2015510671.tif 000008
【図６】
2015510671.tif 000009
【国際調査報告】
2015510671.tif 000010
2015510671.tif 000011